(57)【要約】【課題】画像を符号化して伝送する  ＦＰＵ  等の無線機では、送信装置と受信装置を交互に接続して中継伝送することがあるが、中継点で中継装置内の受信装置と送信装置との接続には、画像符号用の信号線とは別に伝送モードの設定が必要であり、使い勝手が悪い。この煩わしさを改善する、モード信号（  ＴＭＣＣ  ）対応の伝送伝送方法を提供する。【解決手段】受信装置は、ＴＭＣＣ  と呼ぶモード信号を抽出し、自己のモードを設定する機能がある。この  ＴＭＣＣ  信号を受信シンボルレートに応じて出力する機能を付加する。さらに次段の送信装置に  ＴＭＣＣ  信号の受取機能と、シンボルレートによって送信基準を同期させる機能を付加する。【選択図】  図１
2004166137.tif 000002
【特許請求の範囲】
【請求項１】
受信装置と送信装置とを備え、データを中継伝送する多段中継システムにおいて、
上記受信装置は、受信したデータを受信し、受信された該データから補助データを抽出し、抽出された該補助データに基いて、復調を行なうことを特徴とする中継伝送方法。
【請求項２】
請求項１記載の中継伝送方法において、
上記受信装置が、上記補助データを送信装置に出力することを特徴とする中継伝送方法。
【発明の詳細な説明】
【０００１】
【発明の属する技術分野】
本発明は、無線伝送によるデータの多段中継システムに関わり、特に中継伝送方法に関する。
【０００２】
【従来の技術】
近年、画像伝送装置の分野では、アナログの画像信号をそのまま  ＦＭ  変調して伝送する方式から、ＭＰＥＧ−２  等の符号化方式で画像を符号化し、得られた画像符号をデジタル変調方式で伝送する伝送装置に移行しつつある。その代表的なものに、変調方式として  ＯＦＤＭ  方式を採用した欧州や日本を初めとする各国の次世代のテレビ放送方式がある。
【０００３】
ＭＰＥＧ−２  等の符号化方式で画像を符号化したデータとして伝送する伝送装置は、この他、ＦＰＵ  、無線  ＬＡＮ  等の分野においても多くの応用研究が進められている。
ところで、ＦＰＵ  等の無線伝送装置では、ビル等による電波の遮断を回避するため、一旦受信装置でデータを受信して画像符号に復号した後、送信装置で再び送信する多段中継システムを構成して回線を確保することが度々行われる。
中継装置の従来例としては、例えば、特許文献１がある。
【０００４】
以下、この多段中継システムの構成方法を  ＯＦＤＭ  方式の  ＦＰＵ  の場合を例に更に詳しく説明する。
ＯＦＤＭ  方式は、図８の模式的なキャリア配置が示すように、一定の伝送帯幅内に互いに直交する複数本の搬送波（キャリア）（例えば、約  ８５２  本）を設け、情報符号や同期確立用のパイロット信号等により、指定キャリアを  ６４  ＱＡＭ  等の変調方式で変調した約  ５０  μｓｅｃ  のシンボルとして伝送する。
この時、情報符号による各キャリアの信号の変更は、一定のシンボル期間  Ｔｓ  毎に全てのキャリアで実施する。
【０００５】
また、デジタル伝送装置の特徴を生かし、伝送路の状況の変化に応じてその状況に適した変調方式に適宜変更しつつ伝送する使用方法が取られることもあるが、この場合の使い勝手としては、送信装置の変調方式の変更に伴い、受信装置の変調方式も自動的に変更されるのが好ましい。
【０００６】
このような使用方法を可能にするため、伝送する情報符号（情報データ）としては、通常、目的とする画像符号の他に、使用している変調方式等の復調処理で必要になる情報を有する  ＴＭＣＣ（  Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ  ）符号も同時に伝送するように構成している。
あるいは更に、伝送装置の操作者等が自由に使用できる  ＡＣ（  Ａｕｘｉｌｉａｒｙ  Ｃｈａｎｎｅｌ  ）符号を伝送することもある。ＯＦＤＭ  方式の場合、通常、画像符号、ＴＭＣＣ  符号、ＡＣ  符号等の情報符号に対して専用のキャリアを設定して、変調し、伝送する。
【０００７】
ＡＣ  符号は、変調多値数として、１６  ＱＡＭ  、ＱＰＳＫ  、ＢＰＳＫ  が選択できる。更に、ＯＦＤＭ  キャリアに配置する  ＡＣ  キャリアの数も、変調及び差動検波か同期検波かによって異なる。即ち、ビットレートが、各種条件で異なる。
また  ＴＭＣＣ  信号も、１Ｋ  モードか  ２Ｋ  モードかによって、生じる周期が異なる。
ＴＭＣＣ  符号は、２０４  ビットから構成され、ユーザが任意に使用できるリザーブ領域を数  １０  ビット持つ。この  ２０４  ビットは、２０４  シンボルに存在する。
【０００８】
図９は、従来の  ＯＦＤＭ  方式の受信装置と送信装置を用いた、簡易な中継システムの構成を示すブロック図である。
前段の中継装置の送信装置（または、最初の送信装置）  １  から伝送された  ＲＦ信号（データ）は、中継装置  ９０  の受信装置  ２  によって受信され復号される。復号された情報符号である主データ（画像符号）と補助データ（  ＴＭＣＣ  符号と  ＡＣ  符号）は、それぞれ独立に、中継装置  ９０  の送信装置  ３  に出力される。
送信装置  ３  は、送信装置  １  から伝送された信号を次段の中継装置  ９１  の受信装置  ４  に伝送する。なお図９では、中継装置  ９１  の受信装置  ４  以降の構成は省略して示した。
【０００９】
図１１は、図９の受信装置  ２  の構成の一例を示すブロック図である。
送信装置  １  から伝送された信号は、受信装置  ２  のＡ／Ｄ  変換器  ２−１  に入力する。Ａ／Ｄ  変換器  ２−１  は、入力された信号をデジタル変換して  ＦＦＴ  器  ２−２  と時間同期ユニット（  ＣＮＴ  ）２−３  にそれぞれ出力する。ＦＦＴ  器  ２−２  は、入力信号を高速フーリエ変換して、補正器  ２−４  と  ＴＭＣＣ  抽出器  ２−５  にそれぞれ出力する。
【００１０】
ＴＭＣＣ  抽出器  ２−５  は、受信された信号から  ＴＭＣＣ  符号を抽出し、抽出された  ＴＭＣＣ  符号に基いた  ＴＭＣＣ  信号を、モード設定器  ３−１１  を経由して、復調処理の各部（  データ識別器  ２−７  ，ＡＣ  識別器  ２−８  ，復号化器  ２−９  ，ＡＣ  復号化器  ２−１０  ）にそれぞれ出力する。
抽出された  ＴＭＣＣ  符号によって与えられた正しい変調方式によって、復調処理の各部は、情報符号を復号し、主データと補助データ（  ＡＣ  符号）とをそれぞれ復調部の出力信号（主データに基いた主信号、ＡＣ  符号に基いたＡＣ  信号）として出力する。受信装置は、この復調された信号を送信装置  ３  に出力する。
図１１の受信装置  ２  の構成では、抽出した  ＴＭＣＣ  符号に基づき、主データ識別器  ２−７  の識別条件、復号化器  ２−９  の復号化のビットレート、ＡＣ  識別器  ２−８  の識別の条件、ＡＣ  復号化器  ２−１０  の復号化のビットレート、他を決める。補助データは、ＡＣ  復号化器  ２−１０  でバッファメモリを経由して連続データ化される。
【００１１】
次段の送信装置  ３  は、前段の受信装置  ２  と同一のモードに設定されないと、データとレートが一致せず、データがアンダーフローしたり、またはオーバーフローし、正常に伝送ができない。
通常の場合、操作者が、次段の送信装置  ３  のモードを手動で、前段の受信装置  ２  と同一に設定することになる。
なお、中継点が無人の山頂等に配置されるケースもあり、その場合、電話回線を用いたリモコン処理で、前段の受信装置  ２  のモードを読取り、次段の送信装置  ３  を設定する。
【００１２】
図１０は、送信装置  ３  の構成の一例を示すブロック図である。
操作者のモードの設定に応じて、図示しない設定操作器からの信号が、符号化器  １−１  、主データマッピング器  １−２  、ＡＣ  符号化器  １−３  、及び、ＴＭＣＣ  発生器  １−４  に入力される。
入力された信号によって、符号化器  １−１  のレート、主データマッピング器  １−２  のコンスタレーション、付加する  ＴＭＣＣ  信号の内容補助データ（  ＡＣ  符号）の変調条件が決められる。
補助データは、ＡＣ  符号化器  １−３  でバッファメモリを経由して連続データ化される。
【００１３】
受信装置  ２  から送られ、送信装置  ３  が受け取った主データは、符号化器  １−１に入力する。符号化器  １−１  は、入力されたデータを符号化処理して、主データマッピング器  １−２  に出力する。主データマッピング器  １−２  は、符号化されたデータをマッピング処理して統合器  １−５  に出力する。
また同じく、受信装置  ２  から入力された補助データは、ＡＣ  符号化器  １−３  に入力する。ＡＣ  符号化器  １−３  は、補助データである  ＡＣ  データ（  ＡＣ  符号）を符号化処理して、補助データマッピング器  １−１０  に出力する。補助データマッピング器  １−１０  は、補助データをマッピング処理して統合器  １−５  に出力する。
ＴＭＣＣ  発生器  １−４  は、設定操作器からの信号に応じて  ＴＭＣＣ  符号を発生し、統合器  １−５  に出力する。
【００１４】
統合器  １−５  は、入力されたデータを所定のキャリア配置に構成して、ＩＦＦＴ  器１−６  に出力する。ＩＦＦＴ  器  １−６  は、入力された信号を逆フーリエ変換して、ガード付加器  １−７  に出力する。ガード付加器  １−７  は、入力された信号にガード符号を付加して、Ｄ／Ａ  変換器  １−８  に出力する。Ｄ／Ａ  変換器  １−８  は、入力された信号をアナログ値に変換して出力する。変換されたアナログ信号は、送信装置  ３  から送信される。
【００１５】
【特許文献１】
特開２００２−２２３４５９号公報（図１、図２９）
【００１６】
【発明が解決しようとする課題】
前述の従来の中継システムでは、受信装置と次段の送信装置の変調モード設定が煩わしく、設定を誤ると伝送が不可能となる欠点がある。
本発明の第１の目的は、上記の欠点を除去し、従来の受信装置及び送信装置との互換性を確保した中継システムを構築できる受信装置と送信装置を提供することにある。
また、前述の従来技術において、ＡＣ  信号及び  ＴＭＣＣ  信号等の補助データ信号は、接続の際、間欠的に生じるＡＣ  符号及び  ＴＭＣＣ  符号等の補助データを連続化するため、バッファメモリ等を介して接続する必要があり、設定によってレートが異なるため、バッファメモリの制御も煩雑となる。更に、バッファメモリを経由するため、ＡＣ  データの次段への伝達に遅れが生じる欠点がある。
本発明の第２の目的は、上記の欠点を除去し、ＡＣ  信号や  ＴＭＣＣ  信号を  ＯＦＤＭ  シンボル等の伝送方式が必要とするタイミングで受け渡しすることにある。
【００１７】
【課題を解決するための手段】
上記の第１の目的を達成するためも、本発明の中継伝送装置における中継伝送方法において、受信装置から  ＴＭＣＣ  符号等の補助データを出力するように構成するものである。
そして、本発明の中継伝送方法において、送信装置は  ＴＭＣＣ  符号等の補助データを受取るように構成するものである。
上記の第２の目的を達成するための本発明による中継伝送方法は、ＡＣ  データを最大  ４  ビット、ＴＭＣＣ  を  １  ビットとし、ＯＦＤＭ  シンボルを  ＦＦＴ  処理して得られる周波数毎の時分割状態のままとし、かつ  ＯＦＤＭ  シンボルを示すタイミング信号  ＳＳＴ  とともに送り出すものである。
次段の送信装置は、その  ＯＦＤＭ  シンボルを示すタイミング信号  ＳＳＴ  に応じて動作タイミングを決定することで、ＴＭＣＣ  信号や  ＡＣ  信号を時間軸上の処理無しに変調できるよう構成したものである。
【００１８】
【発明の実施の形態】
本発明の第１の実施の形態による受信装置と送信装置を用いて構築する簡易な中継システムの例を図１によって説明する。図１は、本発明の一実施例の  ＯＦＤＭ  方式の受信装置と送信装置を用いた、簡易な中継システムの構成を示すブロック図である。
初段の送信装置  １Ｂ  から伝送された  ＲＦ  信号（データ）は、中継装置  ９０Ｂ  の受信装置  ２Ｂ  によって受信され復号される。復号された情報符号である主データ（画像符号）と補助データ（  ＴＭＣＣ  符号と  ＡＣ  符号）の信号は、それぞれ独立に、中継装置  ９０Ｂ  の送信装置  ３Ｂ  に出力される。
送信装置  ３Ｂ  は、送信装置  １Ｂ  から伝送された信号を次段の中継装置  ９１Ｂ  の受信装置  ４Ｂ  に伝送する。
【００１９】
図８の従来例との第１の相違点は、受信装置  ２Ｂ  に、抽出した  ＴＭＣＣ  信号の出力機能を設けた点である。
図８の従来例との第２の相違点は、送信装置  ３Ｂ  に、ＴＭＣＣ  信号の入力機能を設けた点である。
【００２０】
上述の第２の相違点である入力機能を図４によって説明する。
図４は、本発明の送信装置（例えば、図１の送信装置  ３Ｂ  ）の一実施例の構成を示すブロック図である。
モード設定器  ３−１１  は、受信装置  ２Ｂ  からの与えられる  ＴＭＣＣ  信号に従い、ＴＭＣＣ  符号から送信装置  ３Ｂ  の変調部の伝送モードを決定し、そのモードを符号化器  １−１  、主データマッピング器  １−２  、ＡＣ  符号化器  １−３  、及び、ＴＭＣＣ  発生器  １−４  に出力する。主データマッピング器  １−２  、ＡＣ  符号化器  １−３  、及び、ＴＭＣＣ  発生器  １−４  はそれぞれ、モード設定器  ３−１１  から与えられた情報によって条件設定する。
そして、その伝送モードで、主データ変調、エラー符号化率、ＡＣ  データの変調等を設定する。
【００２１】
図５は、本発明の受信装置（例えば、図１の受信装置  ２Ｂ  ）の一実施例の構成を示すブロック図である。
図５の構成が、図１１の構成と異なる点は、ＣＮＴ  ２−３  の替りに  ＣＮＴ  ２−３Ｂ  を備え、ＴＭＣＣ  抽出器  ２−５  の替りにＴＭＣＣ  抽出器  ２−５Ｂ  を備えたところにある。
即ち、ＴＭＣＣ  抽出器  ２−５Ｂ  は、抽出した  ＴＭＣＣ  信号を、シンボルレートのまま、モード設定器  ３−１１  に出力する他、送信部  ３Ｂ  にも出力する。
【００２２】
本発明の第２の実施の形態による受信装置と送信装置を用いて構築する簡易な中継システムの例を図２によって説明する。図２は、本発明の一実施例の  ＯＦＤＭ  方式の受信装置と送信装置を用いた、簡易な中継システムの構成を示すブロック図である。
図７は、本発明の受信装置（例えば、図２の受信装置  ２Ｃ  ）の一実施例の構成を示すブロック図である。
図７の構成が図５の構成と異なる点は、  ＳＳＴ  信号を出力する構成としたことである。この  ＳＳＴ  信号は、受信同期再生し得たシンボルのタイミングであり、ＦＦＴ  出力の時分割出力のタイミングを示す。
この  ＳＳＴ  信号と、ＦＦＴ  出力の時分割状態である  ＡＣ  信号と  ＴＭＣＣ  信号は、図３に示すように、一定なタイミング関係にある。
図３は、ＦＦＴ  処理の時分割出力のタイミング例を示す図である。
更に、図７の実施例は、ＡＣ  復号化部  ２−１  を経由しないで、ＡＣ  識別器  ２−８Ｂ  から、直接補助データを出力する。
【００２３】
図６は、本発明の送信装置（例えば、図２の送信装置  ３Ｃ  ）の変調部の一実施例の構成を示すブロック図である。送信装置  ３Ｂ  との違いは、タイミングを示すＳＳＴ  信号を基準としてタイミングを計る機能を持つ点である。ＳＳＴ  信号を基準とすることで、ＡＣ  信号と  ＴＭＣＣ  信号の存在する時刻が判る。また、ＡＣ  符号化部１−３  を経由しないで補助データを取り込む。
そこで、ＡＣ  信号をモードに応じた変調を施すことで、ＩＦＦＴ  処理の時分割入力信号に当てはめることができる。
なお補助データマッピング器  ３−１０  には、選択回路が必要だが、説明では割愛した。
【００２４】
【発明の効果】
以上のように。本発明の中継伝送方法によれば、受信装置と次段送信装置を同一のモードに容易設定する中継システムを構築できるようになる。このため、中継システムの構築作業が容易で、しかも繋ぎ間違えや繋ぎ忘れ等による事故の発生の心配が無い簡易な中継システムを構築することができる。従って、使い勝手の良い受信装置と送信装置を得ることができる。
また、既存の中継装置の間に本発明の中継伝送方法を用いた中継装置を設置しても使用可能である。
また、本発明の中継伝送方法によれば、取り出された  ＡＣ  データが、そのまま次段のキャリアに変調できるため  ＡＣ  データの時間遅れを極力無くすことができる。
【図面の簡単な説明】
【図１】本発明の中継システムの一実施例の構成を示すブロック図。
【図２】本発明の中継システムの一実施例の構成を示すブロック図。
【図３】ＦＦＴ  処理の時分割出力のタイミング図。
【図４】本発明の送信装置の一実施例の構成を示すブロック図。
【図５】本発明の受信装置の一実施例の構成を示すブロック図。
【図６】本発明の送信装置の一実施例の構成を示すブロック図。
【図７】本発明の受信装置の一実施例の構成を示すブロック図。
【図８】従来の  ＯＦＤＭ  伝送の模式的なキャリア配置を示す図。
【図９】従来の簡易な中継システムの構成を示すブロック図。
【図１０】図９の送信装置の構成を示すブロック図。
【図１１】図９の受信装置の構成を示すブロック図。
【符号の説明】
１，１Ｂ，１Ｃ，３，３Ｂ，３Ｃ：送信装置、  １−１：符号化器、  １−２：主データマッピング器、  １−３：ＡＣ  符号化器、  １−４：ＴＭＣＣ  発生器、  １−５：統合器、  １−６：ＩＦＦＴ  器、  １−７：ガード付加器、  １−８：Ｄ／Ａ  変換器、  １−９：  １−１０：補助データマッピング器、  ２，２Ｂ，２Ｃ，４，４Ｂ，４Ｃ：受信装置、  ２−１：Ａ／Ｄ  変換器、  ２−２：ＦＦＴ  器、  ２−３，２−３Ｂ：ＣＮＴ、  ２−４：補正器、  ２−５，２−５Ｂ：ＴＭＣＣ  抽出器、  ２−６：分離器、  ２−７：データ識別器、  ２−８，２−８Ｂ：ＡＣ  識別器、  ２−９：復号化器、  ２−１０：ＡＣ  復号化器、  ３−１１：モード設定器、  ９０，９０Ｂ，９０Ｃ，９１，９１Ｂ，９１Ｃ：中継装置。
【図１】
2004166137.tif 000003
【図２】
2004166137.tif 000004
【図３】
2004166137.tif 000005
【図４】
2004166137.tif 000006
【図５】
2004166137.tif 000007
【図６】
2004166137.tif 000008
【図７】
2004166137.tif 000009
【図８】
2004166137.tif 000010
【図９】
2004166137.tif 000011
【図１０】
2004166137.tif 000012
【図１１】
2004166137.tif 000013